(57)【特許請求の範囲】
【請求項１】
入力された放送音声信号に対応する放送音声データを時系列で記憶する記憶部と、
装置の異常を検出し、前記異常を示す異常検出信号を出力する異常検出信号出力部と、
前記異常検出信号出力部から出力され、異常検出期間中に入力される前記異常検出信号の入力終了後、前記異常検出期間中に記憶された、放送音声信号に対応する前記放送音声データを前記記憶部から読み出し、前記読み出した前記放送音声データに対応する前記放送音声信号を出力する処理を行う放送音声信号出力部と、
を備えた放送継続支援装置。
【請求項２】
前記放送音声信号出力部は、前記異常検出期間に続く期間中に放送音声データとして前記記憶部に記憶された前記放送音声信号に対応する前記放送音声データも含めて出力する処理を行う、
請求項１記載の放送継続支援装置。
【請求項３】
前記放送音声信号出力部は、前記異常検出期間の直前に放送された前記放送音声信号に対応する前記放送音声データを含めて前記処理を行う、
請求項１又は請求項２に記載の放送継続支援装置。
【請求項４】
前記放送音声信号出力部は、前記記憶部から読み出した全ての前記放送音声データに対応する放送音声信号について、異常検出信号が入力されなかった出力の処理が終了するタイミングに出力の処理が完了するように前記放送音声データの処理を行い、対応する前記放送音声信号を出力する、
請求項１乃至請求項３のいずれかに記載の放送継続支援装置。
【請求項５】
前記放送音声信号出力部は、前記放送音声信号のタイムストレッチ処理を行うことにより、異常検出信号が入力されなかった出力の処理が終了するタイミングに出力の処理を完了させる、
請求項４記載の放送継続支援装置。
【請求項６】
前記放送音声信号は、前記放送音声信号出力部における処理の対象となる前記放送音声信号が識別可能とされ、
前記放送音声信号出力部は、前記処理対象の放送音声信号についてのみ前記処理を行う、
請求項１乃至請求項５のいずれかに記載の放送継続支援装置。
【請求項７】
前記放送音声信号には、パイロット信号が重畳されており、
前記放送音声信号出力部は、前記パイロット信号に基づいて、処理の対象となる前記放送音声信号を識別する、
請求項６記載の放送継続支援装置。
【請求項８】
放送音声データを記憶する記憶部を備えた放送継続支援装置において実行される放送継続支援装置の制御方法であって、
前記記憶部に入力された放送音声信号に対応する放送音声データを時系列で記憶する過程と、
装置の異常を検出し、前記異常を示す異常検出信号を出力する過程と、
異常検出期間中に入力される前記異常検出信号の入力終了後、前記異常検出期間中に記憶された、放送音声信号に対応する前記放送音声データを前記記憶部から読み出し、前記読み出した前記放送音声データに対応する前記放送音声信号を出力する処理を行う過程と、
を備えた放送継続支援装置の制御方法。
【請求項９】
放送音声データを記憶する記憶部を備えた放送継続支援装置において実行される放送継
続支援装置をコンピュータにより制御するための制御プログラムであって、
前記コンピュータを、
前記記憶部に入力された放送音声信号に対応する放送音声データを時系列で記憶させる
記憶制御手段と、
装置の異常を検出し、前記異常を示す異常検出信号を出力する異常検出信号出力手段と、
異常検出期間中に入力される前記異常検出信号の入力終了後、前記異常検出期間中に記憶された、放送音声信号に対応する前記放送音声データを前記記憶部から読み出し、前記読み出した前記放送音声データに対応する前記放送音声信号を出力する処理を行う放送音声信号出力手段と、
して機能させる制御プログラム。
【発明の詳細な説明】
【技術分野】
【０００１】
本発明の実施形態は、放送継続支援装置、放送継続支援装置の制御方法及び制御プログラムに関する。
【背景技術】
【０００２】
中波ラジオ放送では、放送音声信号（ラジオ番組）をスタジオ設備のある演奏所で製作し、中継装置を介して、送信機のある送信所に伝送している。送信所では送信機を使用し、ＡＭ波を生成し、生成したＡＭ波を所定の放送サービスエリアへ送出する。
【０００３】
ところで、送信機においては、落雷時などの異常発生時にＡＭ波の出力を短時間遮断し、例えば、雷エネルギーをグランド（接地）に逃がす制御技術が使用されている。
これは、雷エネルギーなどにより、送信機（特にアンプ）などが破壊されるのを防止するためであり、ＡＭ波の出力を短時間遮断するのは、雷エネルギーにより生成された負荷短絡状態の継続（続流）を遮断するためである。
【０００４】
例えば、先行文献では、定在波比（ＳＷＲ）や放電光を監視し、ＡＭ波の出力を短時間遮断する技術が提案されている。
【先行技術文献】
【特許文献】
【０００５】
【特許文献１】特開平９−１６２７５９号公報
【特許文献２】特開２０１３−１９１９９７号公報
【発明の概要】
【発明が解決しようとする課題】
【０００６】
以上のように、従来の送信機では、落雷時などの異常発生時に、ＡＭ波の出力を短時間遮断し、送信機を保護する仕組みが設けられている。しかしながら、ＡＭ波の出力を短時間遮断するため、受信機で受信した放送音声信号において、無音時間が生じ、例えば、音声が途切れて、聴感上好ましくない放送となってしまうことがあった。
【０００７】
本発明は、上記に鑑みてなされたものであって、異常発生時に無音状態が生じてしまう（ＡＭ波の出力を短時間遮断された）場合であっても、聴取者における無音状態の影響を低減することが可能な放送継続支援装置、放送継続支援装置の制御方法及び制御プログラムを提供することを目的としている。
【課題を解決するための手段】
【０００８】
実施形態の放送継続支援装置の記憶部は、入力された放送音声信号に対応する放送音声データを時系列で記憶する。
異常検出信号出力部は、装置の異常を検出し、異常を示す異常検出信号を出力する。
これにより、放送音声信号出力部は、異常検出信号出力部から出力され、異常検出期間中に入力される異常検出信号の入力終了後、異常検出期間中に記憶された、放送音声信号に対応する放送音声データを記憶部から読み出し、読み出した放送音声データに対応する放送音声信号を出力する処理を行う。
【図面の簡単な説明】
【０００９】
【図１】図１は、実施形態の中波ラジオ放送システムの概要構成説明図である。
【図２】図２は、送信機の概要構成ブロック図である。
【図３】図３は、瞬時停止部の機能構成ブロック図である。
【図４】図４は、音声部の概要構成ブロック図である。
【図５】図５は、異常検出時の音声部の処理シーケンスチャートである。
【図６】図６は、具体的動作の説明図である。
【図７】図７は、番組の放送時間帯と、コマーシャルの放送時間帯との関係の説明図である。
【発明を実施するための形態】
【００１０】
以下、実施の形態について、図面を参照して説明する。
図１は、実施形態の中波ラジオ放送システムの概要構成説明図である。
中波ラジオ放送システム１０は、放送用の音声信号である放送音声信号Ｓｂａを生成する放送音声信号生成装置２１と、放送音声信号生成装置２１により生成された放送音声信号Ｓｂａを中継する中継装置２２と、中継装置２２により中継された放送音声信号Ｓｂａの振幅変調を行って送信信号として出力する送信機２３と、送信機２３の出力端とアンテナ２５との間のインピーダンス整合を行うアンテナ整合部２４と、高周波信号である送信信号を電波として空間に放射するアンテナ２５と、を備えている。
【００１１】
図２は、送信機の概要構成ブロック図である。
ここで、送信機２３は、放送継続支援装置としての機能を有している。
送信機２３は、中継装置２２及び音声信号入力端子３１を介して放送音声信号生成装置２１が生成した放送音声信号Ｓｂａが入力され、入力された放送音声信号Ｓｂａを再生順を表すタイムコードを付し放送音声データＤｂａとして記憶するとともに、放送音声信号をタイムコードに対応づけて出力する音声部３２と、図示しないｎ台の電力増幅器（ＰＡ：Power  Amplifier）を有し、音声部３２が出力した放送音声信号に基づいて搬送波のＡＭ変調を行ってＡＭ波を生成し、出力するＡＭ波生成部３３と、を備えている。
【００１２】
また送信機２３は、ＡＭ波生成部３３が出力したＡＭ波をＡＭ波出力端子３４を介してアンテナ整合部２４にそのまま出力するとともに、落雷等の異常により、放送を継続すると、送信機２３自体が故障する虞がある場合に、それらの異常の検出用にＡＭ波のピックアップを行うピックアップ部３５と、ピックアップ部３５によりピックアップされたＡＭ波に基づいて異常検出を行い、異常検出時に異常検出信号を出力する異常検出部３６と、異常検出信号が入力されている場合にＡＭ波生成部３３の出力を停止させるとともに、音声部３２に対し、異常検出信号の入力に伴って出力停止開始を通知し、異常検出信号の入力停止に伴って出力停止解除を通知する瞬時停止部３７と、を備えている。
【００１３】
ピックアップ部３５は、ＡＭ波生成部３３が出力したＡＭ波のピックアップを行い、電圧値及び電流値を測定する。なお、ピックアップ部３５は、測定した電圧値及び電流値をピックアップ信号Ｓｐとして異常検出部３６へ出力する。
【００１４】
異常検出部３６は、例えば、オペアンプなどのアナログＩＣから構成されるアナログ回路として構成され、ピックアップ部３５が測定する電圧値および電流値（測定値）がピックアップ信号Ｓｐとして入力されて、測定値である電圧値と電流値とを、加算、減算、除算、平滑化あるいは補正し、異常判別用演算値Ｖｍとして瞬時停止部３７に出力する。
なお、異常検出部３６は、電圧値および前記電圧値から位相のπ/２異なる電圧値から異常判別用演算値Ｖｍを算出することも可能である。
【００１５】
ここで、瞬時停止部３７の構成についてより具体的に説明する。
瞬時停止部３７は、異常判別用演算値Ｖｍに基づいて、ＡＭ波生成部３３を構成しているオン制御状態にある電力増幅器（図示せず）をオフ状態とすることでＡＭ波生成部３３からのＡＭ波の出力を所定時間遮断するために、異常検出信号Ｓｅを音声部３２に出力する。
【００１６】
図３は、瞬時停止部の機能構成ブロック図である。
瞬時停止部３７は、図３に示すように、例えば、アナログ回路で構成され、異常判別用演算値Ｖｍに基づいて、ＡＭ波生成部３３を構成しているオン制御状態にある全ての電力増幅器（図示せず）をオフ状態として、ＡＭ波生成部３３を停止状態とする異常検出信号Ｓｅとしての第１の制御信号ＰＣ１１を出力するファスト（ｆａｓｔ）プロテクション部３７Ａと、アナログ回路及びディジタル回路の複合回路として構成され、異常判別用演算値Ｖｍに基づいて、ＡＭ波生成部３３を構成しているオン制御状態にある全ての電力増幅器（図示せず）をオフ状態として、ＡＭ波生成部３３を停止状態とする異常検出信号Ｓｅとしての第２の制御信号ＰＣ１２を出力するスロー（ｓｌｏｗ）プロテクション部３７Ｂと、を備えている。
【００１７】
瞬時停止部３７のファストプロテクション部３７Ａは、例えば、オペアンプやコンパレータなどのアナログＩＣから構成されるアナログ回路を用いて構成され、異常検出部３６が出力する異常判別用演算値Ｖｍが、予め設定された閾値である第１基準値以上となる場合、オン制御状態にあるＡＭ波生成部を構成している全ての電力増幅器をオフ状態とするための第１の制御信号ＰＣ１１を異常検出信号Ｓｅとして音声部３２に出力する。スロープロテクション部３７Ｂは、例えば、オペアンプやＡ／ＤコンバータなどのアナログＩＣから構成されるアナログ回路と、ＣＰＵ、ＣＰＬＤ及びＦＰＧＡ等のディジタル回路の複合回路として構成され、第２の制御信号ＰＣ１２を音声部３２に異常検出信号Ｓｅとして出力する。上記構成において、ファストプロテクション部３７Ａが出力する第１の制御信号ＰＣ１１のパルス幅は、アナログ回路及びディジタル回路の複合回路として構成されたスロープロテクション部３７Ｂにおける演算遅延時間よりも長く設定される。これは、スロープロテクション部３７Ｂによる保護が開始される前、すなわち、第２の制御信号ＰＣ１２が出力される前にファストプロテクション部３７Ａによる保護が解除されるのを防止するためである。
【００１８】
なお、スロープロテクション部３７Ｂは、第２の制御信号ＰＣ１２が出力された後に、異常状態が解消したかを判断するため、短期間の間、全ての電力増幅器（図示せず）を再びオン状態とする再起動処理を実施し、異常判別用演算値Ｖｍを再計算する。その結果、異常判別用演算値Ｖｍが第１基準値以下となれば、異常検出信号Ｓｅの出力を解除する。
【００１９】
さらに、スロープロテクション部３７Ｂは、異常検出部３６が出力する異常判別用演算値Ｖｍが、予め設定された閾値である第１基準値以下であり、第２基準値以上である場合は、増減力動作を実施する機能を有している。ただし、増減力中は、ＡＭ波の出力が遮断することはないため、基本的には異常検出信号Ｓｅは出力されないが、音量の低下に関わるため、異常検出信号Ｓｅを出力し、後述する放送継続支援処理を適用することも可能である。その場合は、例えば、ダイナミックレンジを制御する処理を追加することで、音声の質感を向上させる方法を追加することが考えられる。なお、ファストプロテクション部３７Ａとスロープロテクション部３７Ｂで使用する異常判別用演算値Ｖｍの値がそれぞれ異なっていても、同じソースからの算出結果の違いによるものなので、等価的に同じと見做し、動作させることが可能である。
【００２０】
図４は、音声部の概要構成ブロック図である。
音声部３２は、異常情報入力端子４１を介して異常検出信号Ｓｅが入力され、異常検出信号Ｓｅに基づいて、放送音声信号Ｓｂａの出力制御を行うために制御信号を出力するトリガ部４２と、音声信号入力端子４３を介して放送音声信号Ｓｂａが入力され、入力された放送音声信号Ｓｂａをエンコードし、再生順を表すタイムコードを付した放送音声データとして記憶するとともに、正常時には順次放送音声データを出力し、異常時にはトリガ部４２が出力した制御信号に基づいて異常発生時の無音時間を算出し、無音時間に対応する無音時間データ及び無音時間データに対応する放送音声データＤｂａを出力する制御記憶部４４と、放送音声データＤｂａのデコード及び無音時間データに基づいて放送音声データＤｂａに対応する放送音声信号Ｓｂａの実再生時間を調整して音声信号出力端子４５から出力する収縮部４６と、を備えている。
【００２１】
次に実施形態の動作を説明する。
まず、正常時の動作について説明する。
中波ラジオ放送システム１０の放送音声信号生成装置２１は、放送用の音声信号である放送音声信号Ｓｂａを生成して、中継装置２２に出力する。
中継装置２２は、放送音声信号生成装置２１により生成された放送音声信号Ｓｂａを中継し、送信機２３の音声信号入力端子３１に出力する。
【００２２】
送信機２３の音声部３２は、中継装置２２から音声信号入力端子３１を介して入力された放送音声信号Ｓｂａを再生順を表すタイムコードを付し放送音声データとして記憶する。これと並行して音声部３２は、放送音声信号Ｓｂａをタイムコードに対応づけてＡＭ波生成部３３に出力する。
【００２３】
ＡＭ波生成部３３は、音声部３２が出力した放送音声信号Ｓｂａに基づいて搬送波のＡＭ変調を行ってＡＭ波を生成し、ピックアップ部３５に出力する。
ピックアップ部３５は、ＡＭ波生成部３３が出力したＡＭ波をＡＭ波出力端子３４を介してアンテナ整合部２４に出力する。これと並行してピックアップ部３５は、異常検出を行わせるためにＡＭ波のピックアップを行う。
【００２４】
これにより、異常検出部３６は、ピックアップ部３５によりピックアップされたＡＭ波に基づいて異常判別用演算値Ｖｍを算出し、瞬時停止部３７に出力することとなるが、異常が検出されない正常時においては、瞬時停止部３７から異常検出信号Ｓｅが出力されることはないので、ＡＭ波生成部３３は、ＡＭ波の出力を継続し、アンテナ整合部２４は、送信機２３の出力端とアンテナ２５との間のインピーダンス整合を行い、アンテナ２５は、高周波信号である送信信号を電波として空間に放射して、放送が行われることとなる。
【００２５】
次に異常時の動作を説明する。
中波ラジオ放送システム１０の放送音声信号生成装置２１は、放送用の音声信号である放送音声信号Ｓｂａを生成して、中継装置２２に出力する。
中継装置２２は、放送音声信号生成装置２１により生成された放送音声信号Ｓｂａを中継し、送信機２３の音声信号入力端子３１に出力する。
【００２６】
送信機２３の音声部３２は、中継装置２２から音声信号入力端子３１を介して入力された放送音声信号Ｓｂａを再生順を表すタイムコードを付し放送音声データとして記憶する。これと並行して音声部３２は、放送音声信号Ｓｂａをタイムコードに対応づけてＡＭ波生成部３３に出力する。
【００２７】
ＡＭ波生成部３３は、音声部３２が出力した放送音声信号Ｓｂａに基づいて搬送波のＡＭ変調を行ってＡＭ波を生成し、ピックアップ部３５に出力する。
ピックアップ部３５は、ＡＭ波生成部３３が出力したＡＭ波をＡＭ波出力端子３４を介してアンテナ整合部２４に出力する。これと並行してピックアップ部３５は、異常検出を行わせるためにＡＭ波のピックアップを行う。
【００２８】
これにより、異常検出部３６は、ピックアップ部３５によりピックアップされたＡＭ波に基づいて異常判別用演算値Ｖｍを算出し、異常判別用演算値Ｖｍに基づいて異常検出信号Ｓｅを瞬時停止部３７に出力する。
これにより瞬時停止部３７は、異常検出信号Ｓｅが入力されると、異常検出信号Ｓｅを音声部３２に出力するとともに、ＡＭ波生成部３３からのＡＭ波の出力を所定時間遮断するように制御する。
【００２９】
この結果、ＡＭ波生成部３３は、ＡＭ波の出力を停止するので、送信アンテナ２５は、高周波信号である送信信号を電波として空間に放射するのを停止し、放送が中断されることとなる。
【００３０】
図５は、異常検出時の音声部の処理シーケンスチャートである。
瞬時停止部３７から異常検出信号Ｓｅが出力され（ステップＳ１１）、異常情報入力端子４１を介して異常検出信号Ｓｅが入力されると、音声部３２のトリガ部４２は、異常検出信号Ｓｅに基づいて、放送音声信号Ｓｂａの出力制御を行うため、より詳細には、再生開始位置（巻き戻しポイント）を設定させるための第１制御信号ＳＣ１を制御記憶部４４に出力する（ステップＳ１２）。
【００３１】
制御記憶部４４は、第１制御信号ＳＣ１が入力されると、再生開始位置（再生開始時刻：巻き戻しポイント）を設定する（ステップＳ１３）。
その後、瞬時停止部３７からの異常検出信号Ｓｅの入力が解除されると（ステップＳ１４）、音声部３２のトリガ部４２は、異常検出信号Ｓｅの解除に基づいて、異常検出に伴う無音部分の処理を行わせるための第２制御信号ＳＣ２を制御記憶部４４に出力する（ステップＳ１５）。
【００３２】
制御記憶部４４は、第２制御信号ＳＣ２が入力されると、放送中断による無音時間（＝第２制御信号受信時刻−第１制御信号受信時刻）を算出する（ステップＳ１６）。
次に制御記憶部４４は、算出した無音時間及び放送中断がなければ再生開始位置（再生開始時刻）から無音時間が経過するまでの時間に放送がなされたはずの放送音声データを収縮部４６に出力する（ステップＳ１７）。
これにより、収縮部４６は、制御記憶部４４から入力された放送音声データのデコード及び無音時間データに基づいて放送音声データに対応する放送音声信号ＳｂａをＡＭ波生成部３３に出力することとなる（ステップＳ１８）。
【００３３】
図６は、具体的動作の説明図である。
図６（ａ）は、非異常検出時の送信側及び受信側の放送音声信号Ｓｂａの再生状態を模式的に表しており、同一の音声波形が現れることがわかる。
これに対し、図６（ｂ）は、異常検出時の送信側及び受信側の放送音声信号Ｓｂａの従来の再生状態を模式的に表しており、送信側で異常が発生してから異常が回復するまでの放送音声信号Ｓｂａが途切れた状態で受信側で再生されることがわかる。このため、従来においては、受信側で音声が途切れる状態となり、送信内容も途切れることとなっていた。
【００３４】
そこで、本実施形態においては、図６（ｃ）に示すように、異常検出信号Ｓｅの出力解除の時刻（異常回復時刻）において、異常検出信号Ｓｅの出力開始時刻から異常検出信号Ｓｅの出力解除の時刻に至るまでの放送音声信号Ｓｂａを送信することとしている。
【００３５】
この結果、図６（ｃ）に示したように、無音区間は生じるものの、放送音声信号Ｓｂａの送信後に放送音声が途切れることはなく、確実に情報伝達が行えることとなる。
ところで、以上の処理を単純に行うと、図６（ａ）と、図６（ｃ）とを比較するとわかるように、無音時間に相当する時間だけ放送時間が延長されることとなる。
【００３６】
しかしながら、実際のラジオ放送においては、コマーシャルの放送もあり、コマーシャルの時間帯に番組の時間帯が食い込むことは好ましくない。
そこで、収縮部４６は、放送音声信号Ｓｂａの実再生時間を調整してＡＭ波生成部３３に出力するように構成することも可能である。
【００３７】
図６（ｄ）は、放送音声信号Ｓｂａの実再生時間の調整の説明図である。
ここで、収縮部４６は、いわゆるタイムストレッチを行って、放送音声のピッチを変えずに再生時間だけを短縮して、本来の再生時間から無音時間を差し引いた時間で再生を行う。
【００３８】
図７は、番組の放送時間帯と、コマーシャルの放送時間帯との関係の説明図である。
図７（ａ）に示すように、異常発生がない場合に、番組の放送時間帯ＴＢ１に続いて、コマーシャルの放送の時間帯ＴＢ２が連続している。
【００３９】
このような状態で、図７（ｂ）に示すように、番組の放送時間帯ＴＢ１に異常が発生した場合には、番組の放送時間帯に無音時間帯ＮＳが発生する。
ここで、無音時間帯ＮＳにおいて本来放送される予定であった放送音声が番組放送音声ＮＳ１であり、無音時間帯ＮＳ後であって、当該放送時間帯ＴＢ１内において本来放送される予定であった放送音声が番組放送音声ＳＳ１であったとする。
【００４０】
このような状況下で、通常通り放送を継続すると番組放送音声ＮＳ１が欠落することとなるが、本実施形態では、番組放送音声ＮＳ１と番組放送音声ＳＳ１とを併せてタイムストレッチを行い、放送時間帯ＳＳ内に放送が完了するように制御を行う。
したがって、図７（ｃ）に示すように、番組の実際の時間帯は、本来の番組の時間帯に収まることとなり、コマーシャルの時間帯に番組の時間帯が食い込むことはない。
【００４１】
以上の説明は、番組放送音声ＮＳ１と番組放送音声ＳＳ１とを併せてタイムストレッチを行っていたが、無音時間帯ＮＳが短い場合等には、番組放送音声ＮＳ１と番組放送音声ＳＳ１の一部とを併せてタイムストレッチを行うように構成することも可能である。この場合に、番組放送音声ＳＳ１の一部としては、連続する部分あるいは離散させた部分を用いることも可能である。
【００４２】
より具体的には、番組放送音声ＳＳ１の先頭部分を用いて、番組放送音声ＮＳ１と一体にタイムストレッチを行ったり、番組放送音声ＳＳ１の後尾部分を用いて、番組放送音声ＮＳ１及び番組放送音声ＳＳ１の後尾部分のそれぞれについてタイムストレッチを行ったり、番組放送音声ＳＳ１の複数箇所を用い、番組放送音声ＮＳ１及び番組放送音声ＳＳ１の複数箇所のそれぞれにについてタイムストレッチを行ったりするようにすればよい。
【００４３】
さらに無音時間帯ＮＳが長く、番組の時間帯でタイムストレッチを行った場合に聴感上の違和感が大きすぎる場合には、番組放送音声ＮＳ１の一部（通常、先頭部分）を削除して、番組放送音声ＮＳ１の残りの部分と、番組放送音声ＳＳ１と、を用いて同様に番組の時間帯で処理（タイムストレッチ）を行うことも可能である。
【００４４】
このように構成した場合において、再生開始位置は、異常検出タイミングであるため、必ずしも音声的にちょうど良い区切りとは限らない。具体的には、ある単語の途中であったり（たとえば、「放送」の「そ」の音の再生開始時刻）、あるいは、ある一つの音の再生中（例えば、単語「放送」の「う」の音の再生中）であったりするので、このような場合には、単語の先頭あるいは音の先頭を音声認識などにより抽出して、再生開始位置よりもさかのぼって音声的に区切りの良い時刻からの放送音声データを送信するように構成することも可能である。
【００４５】
これらの結果、音声部３２の制御記憶部４４は、異常検出から異常検出終了までの期間に出力した放送音声信号ＳｂａをＡＭ波生成部３３に出力する。
これにより、ＡＭ波生成部３３は、再び、音声部３２が出力した放送音声信号Ｓｂａに基づいて搬送波のＡＭ変調を行ってＡＭ波を生成し、ピックアップ部３５に出力し、ピックアップ部３５は、ＡＭ波生成部３３が出力したＡＭ波をＡＭ波出力端子３４を介してアンテナ整合部２４に出力する。
【００４６】
アンテナ整合部２４は、送信機２３の出力端とアンテナ２５との間のインピーダンス整合を行い、アンテナ２５は、高周波信号である送信信号を電波として空間に放射して、放送が再び継続されることとなる。
以上の説明のように、本実施形態によれば、落雷等の異常発生時に無音状態が生じてしまう（ＡＭ波の出力を短時間遮断された）場合であっても、情報の欠落を抑制する等により聴取者における無音状態の影響の低減が可能となる。
【００４７】
次に実施形態の変形例について説明する。
以上の説明においては、トリガ部４が瞬時停止部３７からの異常検出信号Ｓｅに基づいて第１制御信号ＳＣ１及び第２制御信号ＳＣ２を制御記憶部４４に出力する構成を採っていたが、トリガ部４２をなくし、制御記憶部４４が異常検出信号Ｓｅの出力及び出力解除を第１制御信号ＳＣ１及び第２制御信号ＳＣ２と同様に取り扱うように構成することも可能である。
【００４８】
以上の説明においては、送信機２３の音声部３２が放送継続支援装置として機能していたが、同様の機能（トリガ部４２、制御記憶部４４及び収縮部４６の機能）を放送音声信号生成装置２１あるいは中継装置２２に持たせるように構成することも可能である。この場合においては、送信機２３の瞬時停止部３７の信号を放送音声信号生成装置２１あるいは中継装置２２にフィードバックする構成とする必要がある。
【００４９】
以上の説明においては、番組の放送時間帯と、コマーシャルの放送時間帯と、をどのように識別するかについては述べなかったが、例えば、放送音声信号Ｓｂａにパイロット信号を重畳するように構成すればよい。この場合に、パイロット信号としては、例えば、シングルトーンを用い、可聴周波数外（例えば、７．５ｋＨｚ以上）に付加するようにすればよい。
【００５０】
以上の説明においては、コマーシャルの放送時間帯については、異常の対応処理に用い無い構成について説明したが、放送音声を処理することにより著作権上問題が生じる虞がある放送時間帯（例えば、楽曲の放送時間帯）、法律上、処理をすることが禁止され、そのまま放送することが必要とされる放送時間帯（たとえば、政見放送の放送時間帯）等については、上述した処理を行わないように構成することも可能である。
【００５１】
本実施形態の放送継続支援装置は、ＣＰＵなどの制御装置と、ＲＯＭ（Read  Only  Memory）やＲＡＭなどの記憶装置と、を備えており、通常のコンピュータを利用したハードウェア構成とすることが可能である。
本実施形態の放送継続支援装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されるようにすることも可能である。
【００５２】
また、本実施形態の放送継続支援装置で実行される制御プログラムを、インターネット等のネットワークに接続されたコンピュータ上に格納し、ネットワーク経由でダウンロードさせることにより提供するように構成しても良い。また、本実施形態の放送継続支援装置で実行される制御プログラムをインターネット等のネットワーク経由で提供または配布するように構成しても良い。
【００５３】
また、本実施形態の放送継続支援装置の制御プログラムを、ＲＯＭ等に予め組み込んで提供するように構成してもよい。
本実施形態の放送継続支援装置で実行される制御プログラムは、上述した各部（記憶部、出力部、……）を含むモジュール構成となっており、実際のハードウェアとしてはＣＰＵ（プロセッサ）が上記記憶媒体から制御プログラムを読み出して実行することにより上記各部が主記憶装置上にロードされ、記憶部、出力部、……が主記憶装置上に生成されるようになっている。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１０    中波ラジオ放送システム
２１    放送音声信号生成装置
２２    中継装置
２３    送信機（放送継続支援装置）
２４    アンテナ整合部
２５    アンテナ
３１    音声信号入力端子
３２    音声部（放送継続支援装置）
３３    ＡＭ波生成部
３４    ＡＭ波出力端子
３５    ピックアップ部
３６    異常検出部
３７    瞬時停止部
３７Ａ  ファストプロテクション部
３７Ｂ  スロープロテクション部
４１    異常情報入力端子
４２    トリガ部
４３    音声信号入力端子
４４    制御記憶部（記憶部）
４５    音声信号出力端子
４６    収縮部（出力部）
【図１】
0005937134.tif 000002
【図２】
0005937134.tif 000003
【図３】
0005937134.tif 000004
【図４】
0005937134.tif 000005
【図５】
0005937134.tif 000006
【図６】
0005937134.tif 000007
【図７】
0005937134.tif 000008